【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】  遊技機に対応して設けられ、当該遊技機での遊技により遊技者に払出された遊技媒体を計数する計数手段と、
遊技者の支払い代金の対価としての第１の有価価値および前記計数手段により計数された遊技媒体のうち遊技場に預け入れられた第２の有価価値を特定可能な情報が記録された記録媒体を処理する記録媒体処理装置とを含み、
該記録媒体処理装置は、
前記記録媒体の記録情報を読取る記録媒体読取手段と、
該記録媒体読取手段が読取った前記記録媒体の記録情報により特定される前記第１の有価価値を使用して、前記遊技媒体を貸し出すための制御を行なう第１の貸出制御手段と、
前記記録媒体読取手段が読取った前記記録媒体の記録情報により特定される前記第２の有価価値を使用して、前記遊技媒体を貸し出すための制御を行なう第２の貸出制御手段と、
前記計数手段により計数された遊技媒体を、再度遊技媒体として返却するための制御を行なう遊技媒体返却制御手段とを含むことを特徴とする、遊技用装置。
【請求項２】  前記記録媒体処理装置は、前記計数手段により計数された遊技媒体数が零でないときに、前記第２の貸出制御手段による遊技媒体の貸し出しおよび前記遊技媒体返却制御手段による遊技媒体の返却のいずれをも実行可能であることを特徴とする、請求項１に記載の遊技用装置。
【請求項３】  前記第１の貸出制御手段および前記第２の貸出制御手段は、前記遊技媒体の貸し出しを指令する貸出指令信号を前記遊技機へ送信することにより、前記遊技媒体の貸し出しを前記遊技機に実行させることを特徴とする、請求項１または請求項２に記載の遊技用装置。
【請求項４】  前記遊技媒体返却制御手段は、前記貸出指令信号を前記遊技機へ送信することにより、前記遊技媒体の返却を前記遊技機に実行させることを特徴とする、請求項３に記載の遊技用装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、係る実情に鑑み考え出されたものであり、その目的は、遊技者にとっての利便性を向上させることができる遊技用装置を提供することである。
【手続補正４】
【補正対象書類名】明細書
【補正対象項目名】０００８
【補正方法】変更
【補正の内容】
【０００８】
【課題を解決するための手段】
請求項１に記載の本発明は、遊技機に対応して設けられ、当該遊技機での遊技により遊技者に払出された遊技媒体を計数する計数手段と、
遊技者の支払い代金の対価としての第１の有価価値および前記計数手段により計数された遊技媒体のうち遊技場に預け入れられた第２の有価価値を特定可能な情報が記録された記録媒体を処理する記録媒体処理装置とを含み、
該記録媒体処理装置は、
前記記録媒体の記録情報を読取る記録媒体読取手段と、
該記録媒体読取手段が読取った前記記録媒体の記録情報により特定される前記第１の有価価値を使用して、前記遊技媒体を貸し出すための制御を行なう第１の貸出制御手段と、
前記記録媒体読取手段が読取った前記記録媒体の記録情報により特定される前記第２の有価価値を使用して、前記遊技媒体を貸し出すための制御を行なう第２の貸出制御手段と、
前記計数手段により計数された遊技媒体を、再度遊技媒体として返却するための制御を行なう遊技媒体返却制御手段とを含むことを特徴とする。
【手続補正５】
【補正対象書類名】明細書
【補正対象項目名】０００９
【補正方法】変更
【補正の内容】
【０００９】
請求項２に記載の本発明は、請求項１に記載の発明の構成に加えて、前記記録媒体処理装置は、前記計数手段により計数された遊技媒体数が零でないときに、前記第２の貸出制御手段による遊技媒体の貸し出しおよび前記遊技媒体返却制御手段による遊技媒体の返却のいずれをも実行可能であることを特徴とする。
【手続補正６】
【補正対象書類名】明細書
【補正対象項目名】００１０
【補正方法】変更
【補正の内容】
【００１０】
請求項３に記載の本発明は、請求項１または請求項２に記載の発明の構成に加えて、前記第１の貸出制御手段および前記第２の貸出制御手段は、前記遊技媒体の貸し出しを指令する貸出指令信号を前記遊技機へ送信することにより、前記遊技媒体の貸し出しを前記遊技機に実行させることを特徴とする。
請求項４に記載の本発明は、請求項３に記載の発明の構成に加えて、前記遊技媒体返却制御手段は、前記貸出指令信号を前記遊技機へ送信することにより、前記遊技媒体の返却を前記遊技機に実行させることを特徴とする。
【手続補正７】
【補正対象書類名】明細書
【補正対象項目名】００１１
【補正方法】変更
【補正の内容】
【００１１】
【作用】
請求項１に記載の本発明によれば、遊技機に対応して設けられる計数手段の働きにより、当該遊技機での遊技により遊技者に払出された遊技媒体が計数される。記録媒体処理装置の働きにより、遊技者の支払い代金の対価としての第１の有価価値および前記計数手段により計数された遊技媒体のうち遊技場に預け入れられた第２の有価価値を特定可能な情報が記録された記録媒体が処理される。第１の貸出制御手段の働きにより、記録媒体読取手段が読取った前記記録媒体の記録情報により特定される前記第１の有価価値を使用して、前記遊技媒体を貸し出すための制御が行なわれる。第２の貸出制御手段の働きにより、前記記録媒体読取手段が読取った前記記録媒体の記録情報により特定される前記第２の有価価値を使用して、前記遊技媒体を貸し出すための制御が行なわれる。遊技媒体返却制御手段の働きにより、前記計数手段により計数された遊技媒体を、再度遊技媒体として返却するための制御が行なわれる。
【手続補正８】
【補正対象書類名】明細書
【補正対象項目名】００１２
【補正方法】変更
【補正の内容】
【００１２】
請求項２に記載の本発明によれば、請求項１に記載の発明の作用に加えて、前記計数手段により計数された遊技媒体数が零でないときに、前記記録媒体処理装置の働きにより、前記第２の貸出制御手段による遊技媒体の貸し出しおよび前記遊技媒体返却制御手段による遊技媒体の返却のいずれをも実行可能とされる。
【手続補正９】
【補正対象書類名】明細書
【補正対象項目名】００１３
【補正方法】変更
【補正の内容】
【００１３】
請求項３に記載の本発明によれば、請求項１または請求項２に記載の発明の作用に加えて、前記第１の貸出制御手段および前記第２の貸出制御手段の働きにより、前記遊技媒体の貸し出しを指令する貸出指令信号が前記遊技機へ送信され、これにより、前記遊技機による前記遊技媒体の貸し出しが行なわれる。
請求項４に記載の本発明によれば、請求項３に記載の発明の作用に加えて、前記遊技媒体返却制御手段の働きにより、前記貸出指令信号が前記遊技機へ送信され、これにより、前記遊技媒体が前記遊技機から返却される。
【手続補正１０】
【補正対象書類名】明細書
【補正対象項目名】０１２２
【補正方法】削除
【補正の内容】
【手続補正１１】
【補正対象書類名】明細書
【補正対象項目名】０１２３
【補正方法】削除
【補正の内容】
【手続補正１２】
【補正対象書類名】明細書
【補正対象項目名】０１２４
【補正方法】削除
【補正の内容】
【手続補正１３】
【補正対象書類名】明細書
【補正対象項目名】０１２５
【補正方法】削除
【補正の内容】
【手続補正１４】
【補正対象書類名】明細書
【補正対象項目名】０１２６
【補正方法】削除
【補正の内容】
【手続補正１５】
【補正対象書類名】明細書
【補正対象項目名】０１２７
【補正方法】削除
【補正の内容】
【手続補正１６】
【補正対象書類名】明細書
【補正対象項目名】０１３０
【補正方法】変更
【補正の内容】
【０１３０】
【課題を解決するための手段の具体例の効果】
請求項１に関しては、遊技場などは前記第２の有価価値を特定可能な情報が記録された記録媒体を受付けて当該第２の有価価値を使用した前記遊技機による遊技を可能とするための装置を前記遊技用装置とは別に用意する必要がなくなり、遊技場スペースの省スペース化を図ることができるとともに装置の管理および運用が楽になる。さらに、前記第１の有価価値のみならず前記第２の有価価値、さらには計数手段により計数された遊技媒体を使用した前記遊技機による遊技を行なうための制御が記録媒体処理装置により行なわれるため、遊技の利便性が向上される。
【手続補正１７】
【補正対象書類名】明細書
【補正対象項目名】０１３１
【補正方法】削除
【補正の内容】
【手続補正１８】
【補正対象書類名】明細書
【補正対象項目名】０１３２
【補正方法】変更
【補正の内容】
【０１３２】
請求項２に関しては、請求項１に関する効果に加えて、前記計数手段により計数された遊技媒体数が零でないときに、前記記録媒体処理装置の働きにより、前記第２の貸出制御手段による遊技媒体の貸し出しおよび前記遊技媒体返却制御手段による遊技媒体の返却のいずれをも実行可能とされる。
【手続補正１９】
【補正対象書類名】明細書
【補正対象項目名】０１３３
【補正方法】変更
【補正の内容】
【０１３３】
請求項３に関しては、請求項１または請求項２に関する効果に加えて、前記第１の貸出制御手段および前記第２の貸出制御手段の働きにより、前記遊技媒体の貸し出しを指令する貸出指令信号が前記遊技機へ送信され、これにより、前記遊技機による前記遊技媒体の貸し出しが行なわれる。
請求項４に関しては、請求項３に関する効果に加えて、前記遊技媒体返却制御手段の働きにより、前記貸出指令信号を前記遊技機へ送信され、これにより、前記遊技媒体が前記遊技機から返却される。